(57)【要約】【課題】アーク倣いの精度に優れ、溶接欠陥が生じることのないアーク溶接が可能となるタンデムアーク溶接システムを制御するロボット制御装置およびそれを用いたアーク倣い制御方法を提供する。【解決手段】溶接トーチと、溶接トーチをウィービングさせるロボットと、先行極電源および後行極電源と、ウィービング中の溶接状態量を検出する先行極検出部および後行極検出部とを備えるタンデムアーク溶接システムを制御するロボット制御装置８であって、電気的変化量を算出する先行極処理部１１ａと、その電気的変化量に基づいてウィービング中心軌跡の溶接線からの左右方向および上下方向の位置ずれを補正するための補正量を算出する先行極補正部１４ａと、電気的変化量を算出する後行極処理部１１ｂと、その電気的変化量に基づいて、ウィービング中心軌跡の溶接線からの回転方向の位置ずれを補正するための補正量を算出する後行極補正部１４ｂとを備える。【選択図】図２
2008093670.tif 000002
【特許請求の範囲】
【請求項１】
先行極および後行極を先端に備える溶接トーチと、前記溶接トーチが先端に取り付けられ、当該溶接トーチを溶接進行方向に対して左右にウィービングさせるロボットと、前記先行極および前記後行極に給電を行う先行極電源および後行極電源と、前記先行極および前記後行極のウィービング中の溶接状態量を検出する先行極検出部および後行極検出部とを備え、溶接線に倣ってアーク溶接を行うタンデムアーク溶接システムの前記溶接トーチの位置を制御するロボット制御装置であって、
前記先行極検出部で検出された溶接状態量から電気的変化量を算出する先行極処理部と、
前記先行極処理部で算出された電気的変化量に基づいてウィービング中心軌跡の前記溶接線からの左右方向および上下方向の位置ずれを補正するための補正量を算出する先行極補正部と、
前記後行極検出部で検出された溶接状態量から電気的変化量を算出する後行極処理部と、
前記後行極処理部で算出された電気的変化量に基づいて、前記ウィービング中心軌跡の前記溶接線からの回転方向の位置ずれを補正するための補正量を算出する後行極補正部とを備えることを特徴とするロボット制御装置。
【請求項２】
請求項１に記載のロボット制御装置を用いたアーク倣い制御方法において、
ウィービング１周期の間に、前記先行極処理部において前記先行極検出部で検出される溶接状態量から電気的変化量を算出して先行極第１変化量および先行極第２変化量とし、前記先行極補正部において前記先行極第１変化量に基づいて、ウィービング中心軌跡の前記溶接線からの左右方向の位置ずれを補正する先行極左右補正量を算出すると共に、前記先行極第２変化量に基づいて、前記ウィービング中心軌跡の前記溶接線からの上下方向の位置ずれを補正する先行極上下補正量を算出し、前記先行極左右補正量および前記先行極上下補正量で、前記溶接トーチを前記溶接進行方向に対して左右方向および上下方向に制御する先行極制御工程と、
前記先行極制御工程と同時に、または、前記先行極制御工程に続いて、前記ウィービング１周期の間に、前記後行極処理部において前記後行極検出部で検出される溶接状態量から電気的変化量を算出して後行極変化量とし、前記後行極補正部において前記後行極変化量に基づいて、前記ウィービング中心軌跡の前記溶接線からの回転方向の位置ずれを補正する後行極補正量を算出し、前記後行極補正量で、前記溶接トーチを前記溶接進行方向に対して回転方向に制御する後行極制御工程とを含むことを特徴とするアーク倣い制御方法。
【請求項３】
前記先行極制御工程において、前記溶接状態量が溶接電流値であり、前記先行極第２変化量が、ウィービング１周期の間に検出される前記先行極の平均溶接電流値と、あらかじめ設定された基準溶接電流値との差であることを特徴とする請求項２に記載のアーク倣い制御方法。
【請求項４】
前記先行極制御工程において、前記先行極第１変化量が、ウィービング左端で検出される前記先行極の左端溶接状態量とウィービング右端で検出される前記先行極の右端溶接状態量との差であることを特徴とする請求項２または請求項３に記載のアーク倣い制御方法。
【請求項５】
前記先行極制御工程において、前記先行極第１変化量が、第１溶接状態量差と第２溶接状態量差との差であって、
前記第１溶接状態量差が、ウィービング左端から右端に至る右進ウィービング期間の間に検出される前記先行極の右進最大溶接状態量と、右進最小溶接状態量との差で定義され、
前記第２溶接状態量差が、ウィービング右端から左端に至る左進ウィービング期間の間に検出される前記先行極の左進最大溶接状態量と、左進最小溶接状態量との差で定義されることを特徴とする請求項２または請求項３に記載のアーク倣い制御方法。
【請求項６】
前記後行極制御工程において、前記後行極変化量が、ウィービング左端で検出される前記後行極の左端溶接状態量とウィービング右端で検出される前記後行極の右端溶接状態量との差であることを特徴とする請求項２ないし請求項５のいずれか一項に記載のアーク倣い制御方法。
【請求項７】
前記後行極制御工程において、前記後行極変化量が、第３溶接状態量差と第４溶接状態量との差であって、
前記第３溶接状態量差が、ウィービング左端から右端に至る右進ウィービング期間の間に検出される前記後行極の右進最大溶接状態量と、右進最小溶接状態量との差で定義され、
前記第４溶接状態量差が、ウィービング右端から左端に至る左進ウィービング期間の間に検出される前記後行極の左進最大溶接状態量と、左進最小溶接状態量との差で定義されることを特徴とする請求項２ないし請求項５のいずれか一項に記載のアーク倣い制御方法。
【請求項８】
前記先行極制御工程において、前記先行極上下補正量が、前記先行極第２変化量の大きさに比例したものであることを特徴とする請求項２ないし請求項７のいずれか一項に記載のアーク倣い制御方法。
【請求項９】
前記先行極制御工程において、前記先行極左右補正量が、前記先行極第１変化量の大きさに比例したものであることを特徴とする請求項２ないし請求項８のいずれか一項に記載のアーク倣い制御方法。
【請求項１０】
前記後行極制御工程において、前記後行極補正量が、前記後行極変化量の大きさに比例したものであることを特徴とする請求項２ないし請求項９のいずれか一項に記載のアーク倣い制御方法。
【請求項１１】
前記先行極制御工程において、前記先行極上下補正量が、前記先行極第２変化量があらかじめ定めた閾値を超えるまではゼロとし、前記先行極第２変化量が前記閾値を超えた場合にあらかじめ定めた所定量とすることを特徴とする請求項２ないし請求項７のいずれか一項に記載のアーク倣い制御方法。
【請求項１２】
前記先行極制御工程において、前記先行極左右補正量が、前記先行極第１変化量があらかじめ定めた閾値を超えるまではゼロとし、前記先行極第１変化量が前記閾値を超えた場合にあらかじめ定めた所定量とすることを特徴とする請求項２ないし請求項８のいずれか一項に記載のアーク倣い制御方法。
【請求項１３】
前記後行極制御工程において、前記後行極補正量が、前記後行極変化量があらかじめ定めた閾値を超えるまではゼロとし、前記後行極変化量が前記閾値を超えた場合にあらかじめ定めた所定量とすることを特徴とする請求項２ないし請求項９のいずれか一項に記載のアーク倣い制御方法。
【発明の詳細な説明】
【技術分野】
【０００１】
本発明は、Ｖ形、Ｌ形またはこれらに類似した開先を、ロボットを利用して２つの電極を備える溶接トーチを左右にウィービングさせながら、溶接線に倣って進行させてアーク溶接を行うタンデムアーク溶接システムを制御するロボット制御装置およびそれを用いたアーク倣い制御方法に関するものである。
【背景技術】
【０００２】
従来、ロボット制御装置等を利用して溶接を自動化したタンデムアーク溶接システムは、あらかじめ作業軌跡をティーチングし、記憶したティーチング軌跡（溶接線）を再生する、いわゆるアーク倣いすることで溶接作業を行う。ここで、アーク倣いとは、溶接トーチのウィービング中心軌跡をティーチング軌跡に正しく倣わせる処理をいう。そして、アーク溶接時のアーク倣いに関する先行技術として、特許文献１がある。この特許文献１には、ロボットの先端に取り付けられた２本の電極（先行極および後行極）の溶接状態量を検出し、先行極または後行極のいずれか１方の溶接状態量に基づいてロボットの軌跡を左右方向に補正し、残りの電極の溶接状態量に基づいてロボット軌跡を上下方向に補正するタンデムアーク溶接システムを制御するロボット制御装置が記載されている。
【特許文献１】特開２００５−２５４２４２号公報（請求項１〜請求項４、図１）
【発明の開示】
【発明が解決しようとする課題】
【０００３】
しかしながら、溶接構造物で特に大型の構造物（以下、溶接ワーク）の場合、溶接ワーク自体の位置決めの誤差、各部材の取付誤差、溶接中の熱歪みなどが原因で、実溶接線にティーチング軌跡（溶接線）からの位置ずれが生じる。この位置ずれは、ティーチング軌跡（溶接線）に平行にずれる場合だけでなく、図１０に示すように、斜めにずれる場合もある。この場合、先行極２ａは、前記したロボット軌跡を左右方向に補正するアーク倣いによって、ティーチング軌跡（溶接線）に追従しても、後行極２ｂがティーチング軌跡（溶接線）から外れ、アーク倣いの精度が低いという問題があった。この精度の低いアーク倣いでは、結果的に溶接欠陥が生じる。
【０００４】
そこで、本発明は、このような問題を解決すべく創案されたもので、その目的は、アーク倣いの精度に優れ、溶接欠陥が生じることのないアーク溶接が可能となるタンデムアーク溶接システムを制御するロボット制御装置およびそれを用いたアーク倣い制御方法を提供することにある。
【課題を解決するための手段】
【０００５】
前記課題を解決するために、請求項１に係る発明は、先行極および後行極を先端に備える溶接トーチと、前記溶接トーチが先端に取り付けられ、当該溶接トーチを溶接進行方向に対して左右にウィービングさせるロボットと、前記先行極および前記後行極に給電を行う先行極電源および後行極電源と、前記先行極および前記後行極のウィービング中の溶接状態量を検出する先行極検出部および後行極検出部とを備え、溶接線に倣ってアーク溶接を行うタンデムアーク溶接システムの前記溶接トーチの位置を制御するロボット制御装置であって、前記先行極検出部で検出された溶接状態量から電気的変化量を算出する先行極処理部と、前記先行極処理部で算出された電気的変化量に基づいてウィービング中心軌跡の前記溶接線からの左右方向および上下方向の位置ずれを補正するための補正量を算出する先行極補正部と、前記後行極検出部で検出された溶接状態量から電気的変化量を算出する後行極処理部と、前記後行極処理部で算出された電気的変化量に基づいて、前記ウィービング中心軌跡の前記溶接線からの回転方向の位置ずれを補正するための補正量を算出する後行極補正部とを備えることを特徴とする。
【０００６】
前記構成によれば、先行極補正部で算出される補正量で、溶接トーチを溶接進行方向に対して左右方向および上下方向に制御するアーク倣いが行われると共に、後行極補正部で算出される補正量で、溶接トーチを溶接進行方向に対して回転方向に制御するアーク倣いが行われるため、溶接トーチのアーク倣いの精度が向上する。
【０００７】
請求項２に係る発明は、請求項１に記載のロボット制御装置を用いたアーク倣い制御方法において、ウィービング１周期の間に、前記先行極処理部において前記先行極検出部で検出される溶接状態量から電気的変化量を算出して先行極第１変化量および先行極第２変化量とし、前記先行極補正部において前記先行極第１変化量に基づいて、ウィービング中心軌跡の前記溶接線からの左右方向の位置ずれを補正する先行極左右補正量を算出すると共に、前記先行極第２変化量に基づいて、前記ウィービング中心軌跡の前記溶接線からの上下方向の位置ずれを補正する先行極上下補正量を算出し、前記先行極左右補正量および前記先行極上下補正量で、前記溶接トーチを前記溶接進行方向に対して左右方向および上下方向に制御する先行極制御工程と、前記先行極制御工程と同時に、または、前記先行極制御工程に続いて、前記ウィービング１周期の間に、前記後行極処理部において前記後行極検出部で検出される溶接状態量から電気的変化量を算出して後行極変化量とし、前記後行極補正部において前記後行極変化量に基づいて、前記ウィービング中心軌跡の前記溶接線からの回転方向の位置ずれを補正する後行極補正量を算出し、前記後行極補正量で、前記溶接トーチを前記溶接進行方向に対して回転方向に制御する後行極制御工程とを含むことを特徴とする。
【０００８】
前記手順によれば、先行極制御工程と後行極制御工程とを、同時に、または、連続して行うことにより、溶接トーチを溶接進行方向に対して左右方向、上下方向および回転方向に制御するアーク倣いが行われるため、溶接トーチのアーク倣いの精度が向上する。
【０００９】
請求項３に係る発明は、前記先行極制御工程において、前記溶接状態量が溶接電流値であり、前記先行極第２変化量が、ウィービング１周期の間に検出される前記先行極の平均溶接電流値と、あらかじめ設定された基準溶接電流値との差であることを特徴とする。
【００１０】
前記手順によれば、先行極のウィービング中の電気的変化量が精度よく算出され、先行極上下補正量の精度が向上し、結果的にアーク倣いの精度がさらに向上する。
【００１１】
請求項４に係る発明によれば、前記先行極制御工程において、前記先行極第１変化量が、ウィービング左端で検出される前記先行極の左端溶接状態量とウィービング右端で検出される前記先行極の右端溶接状態量との差であることを特徴とする。
【００１２】
前記手順によれば、先行極のウィービング中の電気的変化量が精度よく算出され、先行極左右補正量の精度が向上し、結果的にアーク倣いの精度がさらに向上する。
【００１３】
請求項５の発明は、前記先行極制御工程において、前記先行極第１変化量が、第１溶接状態量差と第２溶接状態量差との差であって、前記第１溶接状態量差が、ウィービング左端から右端に至る右進ウィービング期間の間に検出される前記先行極の右進最大溶接状態量と、右進最小溶接状態量との差で定義され、前記第２溶接状態量差が、ウィービング右端から左端に至る左進ウィービング期間の間に検出される前記先行極の左進最大溶接状態量と、左進最小溶接状態量との差で定義されることを特徴とする
【００１４】
前記手順によれば、先行極のウィービング中の電気的変化量が精度よく算出され、先行極左右補正量の精度が向上し、結果的にアーク倣いの精度がさらに向上する。
【００１５】
請求項６に係る発明は、前記後行極制御工程において、前記後行極変化量が、ウィービング左端で検出される前記後行極の左端溶接状態量とウィービング右端で検出される前記後行極の右端溶接状態量との差であることを特徴とする。
【００１６】
前記手順によれば、後行極のウィービング中の電気的変化量が精度よく算出され、後行極補正量の精度が向上し、結果的にアーク倣いの精度がさらに向上する。
【００１７】
請求項７に係る発明は、前記後行極制御工程において、前記後行極変化量が、第３溶接状態量差と第４溶接状態量との差であって、前記第３溶接状態量差が、ウィービング左端から右端に至る右進ウィービング期間の間に検出される前記後行極の右進最大溶接状態量と、右進最小溶接状態量との差で定義され、前記第４溶接状態量差が、ウィービング右端から左端に至る左進ウィービング期間の間に検出される前記後行極の左進最大溶接状態量と、左進最小溶接状態量との差で定義されることを特徴とする。
【００１８】
前記手順によれば、後行極のウィービング中の電気的変化量が精度よく算出され、後行極左右補正量の精度が向上し、結果的にアーク倣いの精度がさらに向上する。
【００１９】
請求項８に係る発明は、前記先行極制御工程において、前記先行極上下補正量が、前記先行極第２変化量の大きさに比例したものであることを特徴とする。
【００２０】
前記手順によれば、先行極上下補正量の精度が向上し、結果的にアーク倣いの精度もさらに向上する。
【００２１】
請求項９に係る発明は、前記先行極制御工程において、前記先行極左右補正量が、前記先行極第１変化量の大きさに比例したものであることを特徴とする。
【００２２】
前記手順によれば、先行極左右補正量の精度が向上し、結果的にアーク倣いの精度もさらに向上する。
【００２３】
請求項１０に係る発明は、前記後行極制御工程において、前記後行極補正量が、前記後行極変化量の大きさに比例したものであることを特徴とする。
【００２４】
前記手順によれば、後行極補正量の精度が向上し、結果的にアーク倣いの精度もさらに向上する。
【００２５】
請求項１１に係る発明は、前記先行極制御工程において、前記先行極上下補正量が、前記先行極第２変化量があらかじめ定めた閾値を超えるまではゼロとし、前記先行極第２変化量が前記閾値を超えた場合にあらかじめ定めた所定量とすることを特徴とする。
【００２６】
前記手順によれば、先行極上下補正量の精度が向上し、結果的にアーク倣いの精度もさらに向上する。
【００２７】
請求項１２に係る発明は、前記先行極制御工程において、前記先行極左右補正量が、前記先行極第１変化量があらかじめ定めた閾値を超えるまではゼロとし、前記先行極第１変化量が前記閾値を超えた場合にあらかじめ定めた所定量とすることを特徴とする
【００２８】
前記手順によれば、先行極左右補正量の精度が向上し、結果的にアーク倣いの精度もさらに向上する。
【００２９】
請求項１３に係る発明は、前記後行極制御工程において、前記後行極補正量が、前記後行極変化量があらかじめ定めた閾値を超えるまではゼロとし、前記後行極変化量が前記閾値を超えた場合にあらかじめ定めた所定量とすることを特徴とする。
【００３０】
前記手順によれば、後行極補正量の精度が向上し、結果的にアーク倣いの精度も向上する。
【発明の効果】
【００３１】
本発明に係るロボット制御装置によれば、アーク倣いの精度に優れ、溶接欠陥が生じることがないアーク溶接が可能となる。
【００３２】
本発明に係るロボット制御装置を用いたアーク倣い制御方法によれば、アーク倣い精度に優れ、溶接欠陥も生じないアーク溶接を行なうことが可能となる。また、先行極第１変化量、先行極第２変化量および後行極変化量の少なくとも１つの算出方法、または、先行極左右補正量、先行極上下補正量および後行極補正量の少なくとも１つの算出方法を特定することにより、アーク倣い精度がさらに優れ、溶接欠陥もさらに生じないアーク溶接を行なうことが可能となる。
【発明を実施するための最良の形態】
【００３３】
本発明に係るタンデムアーク溶接システムを制御するロボット制御装置について、図面を参照して説明する。図１はタンデムアーク溶接システムの構成説明図、図２はロボット制御装置のブロック図、図３は溶接トーチのウィービングの状態を示す説明図、図４はアーク倣いの状態を示す説明図、図５は左右方向のアーク倣いの状態を示す説明図、図６は回転方向のアーク倣いの状態を示す説明図である。
【００３４】
まず、本発明に係るロボット制御装置で制御するタンデムアーク溶接システムについて説明する。タンデムアーク溶接システムは、２つの電極を溶接ワークの溶接進行方向に対して左右にウィービングしながら、溶接線に倣ってアーク溶接を行うタンデムアーク溶接システムである。そして、図１に示すように、タンデムアーク溶接システム１は、先行極２ａと後行極２ｂとを備える溶接トーチ２と、ロボット３と、先行極電源４と、後行極電源５と、先行極検出部６と、後行極検出部７とを備える。以下、各構成について説明する。
【００３５】
溶接トーチ２は、その先端に溶接ワークＷの溶接進行方向の前方に配置される先行極２ａと、先行極２ａと所定の電極間距離（例えば、１０〜３０ｍｍ）を有して溶接方向の後方に配置される後行極２ｂとを備える。先行極２ａおよび後行極２ｂは、消耗電極として作用し、溶接ワイヤ１０ａ、１０ｂを管状の先行極トーチおよび後行極トーチ（図示せず）の内部に挿通し、各トーチの先端から所定の突き出し長さ（２０〜３５ｍｍ）で突き出したものであることが好ましい。そして、溶接ワイヤ１０ａ、１０ｂは、ワイヤ供給装置９ａ、９ｂから供給される。また、溶接ワイヤ１０ａ、１０ｂは、溶接ワークＷの材質、溶接形態等によって、所定の組成を有するものを適宜選択し、例えば、所定量のＣ、Ｓｉ、Ｍｎ、Ｔｉ、ＳおよびＯを含有し、残部がＦｅおよび不可避的不純物からなるものが使用される。
【００３６】
溶接トーチ２は、シールドガスノズルを備えたものであってもよい。そして、シールドガスとしては、ガス組成が不活性ガスリッチのものが使用され、Ａｒ＋ＣＯ2、Ａｒ＋Ｈｅ＋Ｏ、Ａｒ＋Ｈｅ＋ＣＯ2等が挙げられる。
【００３７】
ロボット３は、その先端に溶接トーチ２を取り付け、その溶接トーチ２をアーク溶接の際に溶接進行方向に対して左右にウィービングさせるものである（図３参照）。ウィービングは、ロボット３の各軸を駆動して制御され、その制御は後記するロボット制御装置８で行われる。
【００３８】
先行極電源４および後行極電源５は、先行極２ａ、後行極２ｂおよび溶接ワークＷに電力を供給し、先行極２ａと溶接ワークＷとの間、および、後行極２ｂと溶接ワークＷとの間にアークを発生させる。
【００３９】
先行極検出部６および後行極検出部７は、先行極２ａおよび後行極２ｂのウィービング中の所定の位置、例えば、ウィービング左端および右端での溶接状態量を検出する。図１においては、先行極検出部６、後行極検出部７が、先行極電源４および後行極電源５の内部に備えられた例を記載したが、先行極電源４および後行極電源５の外部に備えられたものであってもよい。
【００４０】
本発明に係るロボット制御装置８は、前記タンデムアーク溶接システムの前記溶接トーチの位置を制御するもので、先行極検出部６および後行極検出部７で検出された溶接状態量に基づいて、ロボット３を介して溶接トーチ２の位置を制御するものである。具体的には、先行極２ａの電気的変化量を用いてウィービング中心軌跡の左右方向および上下方向の位置を補正し、後行極２ｂの電気的変化量を用いてウィービング中心軌跡の回転方向の位置を補正するものである。そして、図２に示すように、ロボット制御装置８は、先行極処理部１１ａと、先行極補正部１４ａと、後行極処理部１１ｂと、後行極補正部１４ｂとを備える。
【００４１】
先行極処理部１１ａおよび後行極処理部１１ｂでは、ロボット軌跡計画処理部１３からのウィービング位置情報、例えば、ウィービング左端または右端であるか、または、右進ウィービングまたは左進ウィービングであるか等の位置情報を基に、その位置での先行極検出部６および後行極検出部７で検出された溶接状態量のデータから所定の算出方法で、例えば、後記する各位置での溶接状態量の差を算出する方法、または、平均溶接状態量を算出し、その平均溶接状態量と基準溶接状態量との差を算出する方法等で電気的変化量を算出する。
【００４２】
先行極補正部１４ａおよび後行極補正部１４ｂでは、先行極処理部１１ａ、後行極処理部１１ｂからの電気的変化量に基づいて、所定の算出方法で、例えば、後記する比例関係を利用して算出する方法、または、閾値を利用して算出する方法等でウィービング中心軌跡の左右方向、上下方向および回転方向の位置ずれを制御するための補正量（倣い補正量）を算出する。算出された補正量（倣い補正量）はロボット軌跡計画処理部１３に送られる。
【００４３】
ロボット軌跡計画処理部１３では、先行極補正部１４ａおよび後行極補正部１４ｂから送られた倣い補正量で、ティーチングデータ部１２から送られてくるティーチング位置データを補正して、その補正データをロボット３の各軸指令値としてロボット３（サーボドライブ）へ送り、ロボット３の先端に取り付けられた溶接トーチ２を溶接進行方向に対して左右方向、上下方向および回転方向に制御している（図４〜図６参照）。
【００４４】
本発明に係るタンデムアーク溶接システムでは、溶接状態量として、溶接電流および／または溶接電圧を使用する。前記したウィービング中心軌跡の上下方向の位置ずれ補正には、溶接電流を使用する。また、ウィービング中心軌跡の左右方向の位置ずれ補正には、溶接電流または溶接電圧を使用する。その際、ウィービング周期に対して溶接電源の定電圧制御の応答性が速い場合は溶接電流、遅い場合は溶接電圧を使用する。なお、溶接電流と溶接電圧の両者を使用する場合もある。
【００４５】
＜アーク倣い制御方法＞
次に、本発明に係るロボット制御装置を用いたアーク倣い制御方法について、図面を参照して説明する。図７（ａ）、（ｂ）は図６の回転方向のアーク倣いの状態を示す斜視図、図８（ａ）はアーク倣い制御方法における先行極第１変化量と先行極左右補正量との関係、（ｂ）は先行極第２変化量と先行極上下補正量との関係、（ｃ）は後行極変化量と後行極補正量との関係を示すグラフ図、図９はアーク倣い制御方法を説明する処理フロー図である。
【００４６】
本発明に係るアーク倣い制御方法は、先行極制御工程と、後行極制御工程とを含むものである。そして、後行極制御工程は、先行極制御工程と同時に、または、先行極制御工程に続いて行う。
【００４７】
（１）先行極制御工程
先行極制御工程では、ウィービング１周期の間に、先行極で検出される溶接状態量から電気的変化量を所定の算出方法で算出して先行極第１変化量および先行極第２変化量とし、先行極第１変化量に基づいて、ウィービング中心軌跡の左右方向の位置ずれを補正する先行極左右補正量を所定の算出方法で算出すると共に、先行極第２変化量に基づいて、ウィービング中心軌跡の上下方向の位置ずれを補正する先行極上下補正量を所定の算出方法で算出する。そして、先行極左右補正量および先行極上下補正量で、タンデムアーク溶接システムの溶接トーチを溶接進行方向に対して左右方向および上下方向に制御する（図４、図５参照）。
【００４８】
（先行極第１変化量）
先行極第１変化量は、以下の２つの算出方法のいずれか１方の算出方法で算出することが好ましい。
第１の算出方法では、先行極第１変化量（dI＿Lrl）は、下式（１）で表されるように、ウィービング左端で検出される先行極の左端溶接状態量（L＿A）と、ウィービング右端で検出される先行極の右端溶接状態量（L＿B）との差とする。
[dI＿Lrl]＝[L＿B]−[L＿A]    （１）
【００４９】
第２の算出方法では、先行極第１変化量（dI＿Lrl）は、下式（２）で表されるように、第１溶接状態量差と第２溶接状態量差との差とする。そして、第１溶接状態量差は、ウィービング左端から右端に至る右進ウィービングｒｗ（図３参照）期間の間に検出される先行極の右進最大溶接状態量（L＿lmax）と、右進最小溶接状態量（L＿lmin）との差で定義される。また、第２溶接状態量差は、ウィービング右端から左端に至る左進ウィービングｌｗ（図３参照）期間の間に検出される先行極の左進最大溶接状態量（L＿rmax）と、左進最小溶接状態量（L＿rmin）との差で定義される。
[dI＿Lrl]＝([L＿lmax]−[L＿lmin])−([L＿rmax]−[L＿rmin])    （２）
【００５０】
（先行極第２変化量）
先行極第２変化量（dI＿Lud）は、下式（３）の算出方法で算出することが好ましい。すなわち、溶接状態量が溶接電流値であり、ウィービング１周期の間に検出される先行極の平均溶接電流値と、あらかじめ設定された基準溶接電流値との差とする。下式（３）では、平均溶接電流値として、右進ウィービング期間および左進ウィービング期間の間に検出された最大溶接状態量（最大溶接電流値）および最小溶接状態量（最小溶接電流値）（L＿lmax、L＿lmin、L＿rmax、L＿rmin）の４点の溶接電流値の平均としたが、検出点数は４点に限定されず、倣いの精度、または、情報処理時間の短縮を考慮して、検出点数を増減してもよい。
[dI＿Lud]＝[基準溶接電流値]−[平均溶接電流値]    （３）
[平均溶接電流値]＝([L＿lmax]＋[L＿lmin]＋[L＿rmax]＋[L＿rmin])/4
【００５１】
（先行極左右補正量）
先行極左右補正量（U＿Lrl）は、前記式（１）または式（２）で算出された先行極第１変化量（dI＿Lrl）に基づいて、下式（４）の算出方法で算出することが好ましい。ここで、（k＿Lrl）は定数を表す。
[U＿Lrl]＝[k＿Lrl]×[dI＿Lrl]    （４）
すなわち、図８（ａ）に示すように、先行極左右補正量（U＿Lrl）として、先行極第１変化量（dI＿Lrl）の大きさに比例したものを使用する。なお、後記する後行極制御工程で用いられている閾値を用いた算出方法で算出してもよい（図８（ｃ）参照）。
【００５２】
（先行極上下補正量）
先行極上下補正量（U＿Lud）は、前記式（３）で算出された先行極第２変化量（dI＿Lud）に基づいて、下式（５）の算出方法で算出することが好ましい。ここで、（k＿Lud）は定数を表す。
[U＿Lud]＝[k＿Lud]×[dI＿Lud]    （５）
すなわち、図８（ｂ）に示すように、先行極上下補正量（U＿Lud）として、先行極第２変化量（dI＿Lud）の大きさに比例したものを使用する。なお、後記する後行極制御工程で用いられている閾値を用いた算出方法で算出してもよい（図８（ｃ）参照）。
【００５３】
前記した式（４）、（５）で示された先行極左右補正量および先行極上下補正量の算出方法は、電気的変化量（先行極第１変化量および先行極第２変化量）に比例した補正量の計算方法である。しかしながら、以下のように、比例項に加えて積算項（[ki＿Lrl]×Σ[dI＿Lrl]、[ki＿Lud]×Σ[dI＿Lud]）を加算してもよい。これにより、ウィービング中心軌跡の位置ずれ偏差をさらに小さくすることが可能となる。
[U＿Lrl]＝[k＿Lrl]×[dI＿Lrl]＋[ki＿Lrl]×Σ[dI＿Lrl]
[U＿Lud]＝[k＿Lud]×[dI＿Lud]＋[ki＿Lud]×Σ[dI＿Lud]
【００５４】
（２）後行極制御工程
後行極制御工程では、ウィービング１周期の間に、後行極で検出される溶接状態量から電気的変化量を算出して後行極変化量とし、後行極変化量に基づいて、ウィービング中心軌跡の回転方向の位置ずれを補正する後行極補正量を算出し、後行極補正量で、溶接トーチを溶接進行方向に対して回転方向に制御する（図６参照）。このような回転方向への制御は、溶接トーチ２全体を先行極２ａを中心に回転する。そして、回転中心軸は、図７（ａ）に示すように先行極２ａの先端を通る溶接トーチ２の軸線Ｙと平行な直線Ｙ１や、図７（ｂ）に示すように先行極２ａの軸線Ｙ２のどちらでもよい。
【００５５】
（後行極変化量）
後行極変化量は、以下の２つの算出方法のいずれか１方の算出方法で算出することが好ましい。
第１の算出方法では、後行極変化量（dI＿Trl）は、下式（６）で表されるように、ウィービング左端で検出される後行極の左端溶接状態量（T＿A）と、ウィービング右端で検出される後行極の右端溶接状態量（T＿B）との差とする。
[dI＿Trl]＝[T＿B]−[T＿A]    （６）
【００５６】
第２の算出方法では、後行極変化量（dI＿Trl）は、下式（７）で表されるように、第３溶接状態量差と第４溶接状態量差との差とする。そして、第３溶接状態量差は、ウィービング左端から右端に至る右進ウィービングｒｗ（図３参照）期間の間に検出される先行極の右進最大溶接状態量（T＿lmax）と、右進最小溶接状態量（T＿lmin）との差で定義される。また、第４溶接状態量差は、ウィービング右端から左端に至る左進ウィービングｌｗ（図３参照）期間の間に検出される先行極の左進最大溶接状態量（T＿rmax）と、左進最小溶接状態量（T＿rmin）との差で定義される。
[dI＿Trl]＝([T＿lmax]−[T＿lmin])−([T＿rmax]−[T＿rmin])    （７）
【００５７】
（後行極補正量）
後行極補正量（U＿Trl）は、以下の条件式（８）によって決定されることが好ましい。すなわち、図８（ｃ）に示すように、前記式（６）または式（７）で算出された後行極変化量（dI＿Trl）があらかじめ定めた閾値（±△Ｉ）を超えるまではゼロとし、後行極変化量（dI＿Trl）が閾値（±△Ｉ）を超えた場合にあらかじめ定めた所定量（±△Ｕ）とする。
[条件式(８)]
[dI＿Trl]＞△Ｉの場合には、[U＿Trl]＝△Ｕとし、
−△Ｉ≦[dI＿Trl]≦△Ｉの場合には、[U＿Trl]＝０とし、
[dI＿Trl]＜−△Ｉの場合には、[U＿Trl]＝−△Ｕとする。
【００５８】
また、後行極補正量（U＿Trl）を、先行極制御工程と同様な、後行極変化量（dI＿Trl）の大きさに比例したものとして算出してもよい。すなわち、下式（９）で算出してもよい。ここで、[K＿Trl]は定数である。
[U＿Trl]＝[k_Trl]×[dI_Trl]    （９）。
【００５９】
なお、ウィービング中心軌跡の位置ずれが、ティーチング軌跡（溶接線）に対して平行な位置ずれのみの場合には、溶接トーチを溶接進行方向に対して回転方向へ制御することにより、ウィービング中心軌跡がティーチング軌跡（溶接線）から左右に位置ずれする恐れがある。そのため、後行極補正量（U＿Trl）は、先行極左右補正量（U＿Lrl）に対して、相対的に小さな値とすることが好ましい。具体的には、前記条件式（８）の閾値（△Ｉ）、または、式（９）の定数（k＿Trl）を調整して、後行極補正量（U＿Trl）を先行極補正量（U＿Lrl）に対して小さい値とする。
【００６０】
あるいは、前記先行極制御工程において、溶接トーチを溶接進行方向に対して左右方向に制御すると、回転方向への位置ずれも同時に生じる。したがって、後行極制御工程における後行極補正量（U＿Trl）は、条件式（８）または式（９）で算出される後行極補正量（U＿Trl）から、先行極制御工程で生じる回転方向への位置ずれの分を差し引いた補正量とすることが好ましい。
【００６１】
本発明に係るアーク倣い制御方法において、先行極制御工程および後行極制御工程の補正量の算出方法は、以下のように選択することが好ましい。
【００６２】
アーク溶接中の溶接状態量は、同じ狙い位置をアーク溶接している状態であっても、不規則な短絡などバラツキ要素が多く、アーク溶接中の溶接状態量は一定にはならず、ある程度の範囲で変動する。このバラツキが比較的小さく、かつ、位置ずれに対する電気的変化量が大きい場合（少しの位置ずれで大きな電気的変化がでる場合）には、図８（ａ）、（ｂ）に示すような、電気的変化量に比例した補正量とする比例関係を用いた算出方法を選択するのがよい。
【００６３】
また、アーク溶接中の溶接状態量のバラツキが比較的大きい、または、位置ずれに対する電気的変化量が小さい場合（大きな位置ずれでも少しの電気的変化しかでない場合）には、図８（ｃ）に示すような、電気的変化量の閾値を用いて補正量を決定する算出方法を用いるのがよい。
【００６４】
特に、後行極制御工程では、先行極で大きな溶接ビードを形成する溶接条件の場合、後行極は先行極が溶かした溶融プールの上でアークを発生するため、少しの位置ずれでは、電気的変化が表れない。したがって、電気的変化量に比例した補正量（図８（ａ）、（ｂ）参照）とするより、電気的変化量の閾値を用いて決定した補正量（図８（ｃ）参照）とした方がよい。なお、先行極の溶融プールの影響を受けにくい溶接条件の場合には、電気的変化量に比例した補正量（図８（ａ）、（ｂ）参照）でもよい。
【００６５】
次に、アーク倣い制御方法の処理フローについて、図１、図２、図９を参照して説明する。なお、溶接状態量としては溶接電流を用い、ステップ１〜１２は先行極制御工程および後行極制御工程で同一とし、先行極制御工程と後行極制御工程を同時に行い、先行極第１変化量および後行極変化量の算出は第２の算出方法を使用し、先行極左右補正量および先行極上下補正量の算出は比例関係を用いた算出方法で行い、後行極補正量の算出は閾値を用いた算出方法で行う場合を例にとって説明する。
【００６６】
（１）ステップ１〜６（Ｓ１〜６）では、先行極処理部１１ａおよび後行極処理部１１ｂにおいて、先行極検出部６および後行極検出部７で検出された溶接状態量から、右進ウィービング期間の間の先行極２ａおよび後行極２ｂにおける右進最大溶接状態量（L＿lmax、T＿lmax）および右進最小溶接状態量（L＿lmin、T＿lmin）を抽出する。なお、溶接状態量として溶接電流を用いているので、ウィービング左端で検出された先行極検出電流および後行極検出電流が右進最大溶接状態量（L＿lmax、T＿lmax）となる。
【００６７】
（２）前記ステップと同様に、ステップ７〜１１（Ｓ７〜１１）では、先行極検出部６および後行極検出部７で検出された溶接状態量から、左進ウィービング期間の間の先行極２ａおよび後行極２ｂにおける左進最大溶接状態量（L＿rmax、T＿rmax）および左進最小溶接状態量（L＿rmin、T＿rmin）を抽出する。なお、溶接状態量として溶接電流を用いているので、ウィービング右端で検出された先行極検出電流および後行極検出電流が左進最大溶接状態量（L＿rmax、T＿rmax）となる。
【００６８】
（３）ステップ１２では、先行極処理部１１ａおよび後行極処理部１１ｂにおいて、右進最大溶接状態量（L＿lmax、T＿lmax）、右進最小溶接状態量（L＿lmin、T＿lmin）、左進最大溶接状態量（L＿rmax、T＿rmax）および左進最小溶接状態量（L＿rmin、T＿rmin）から、前記した式（２）を用いて先行極第１変化量（dI＿Lrl）が算出され、前記した式（７）を用いて後行極変化量（dI＿Trl）が算出される。また、溶接状態量を溶接電流値とし、右進最大溶接状態量（右進最大溶接電流値）（L＿lmax、T＿lmax）、右進最小溶接状態量（右進最小溶接電流値）（L＿lmin、T＿lmin）、左進最大溶接状態量（左進最大溶接電流値）（L＿rmax、T＿rmax）および左進最小溶接状態量（左進最小溶接電流値）（L＿rmin、T＿rmin）から平均溶接状態量（平均溶接電流値）を算出し、あらかじめ先行極処理部１１ａに格納されている基準溶接状態量（基準溶接電流値）と共に、前記した式（３）を用いて先行極第２変化量（dI＿Lud）が算出される。
【００６９】
そして、先行極補正部１４ａおよび後行極補正部１４ｂにおいて、先行極第１変化量（dI＿Lrl）から式（４）を用いて先行極左右補正量（U＿Lrl）が算出され、先行極第２変化量（dI＿Lud）から式（５）を用いて先行極上下補正量（U＿Lud）が算出され、後行極変化量（dI＿Trl）から条件式（８）を用いて後行極補正量（U＿Trl）が算出される。
【００７０】
算出された補正量（U＿Lrl、U＿Lud、U＿Trl）をロボット軌跡計画処理部１３を介してロボット３に送ることによって、溶接トーチ２を溶接進行方向に対して左右方向、上下方向および回転方向に制御するアーク倣いが実行される。このようなアーク倣いをウィービング１周期単位で実行することによって、アーク倣い精度に優れ、溶接欠陥が生じることがないアーク溶接が可能となる。
【００７１】
なお、先行極第１変化量および後行極変化量の算出に第１の算出方法を使用する場合には、右進最大溶接状態量（L＿lmax、T＿lmax）が左端溶接状態量（L＿A、T＿A）となり、左進最大溶接状態量（L＿rmax、T＿rmax）が右端溶接状態量（L＿B、T＿B）となる。
【００７２】
また、溶接状態量として溶接電圧を使用し、第２の算出方法を使用する場合には、ステップ４、９（Ｓ４、９）におけるウィービング左端で検出された溶接電圧が右進最小溶接状態量（L＿lmin、T＿lmin）となり、ウィービング右端で検出された溶接電圧が左進最小溶接状態量（L＿rmin、T＿rmin）となる。そして、ステップ３、８（Ｓ３、８）では、検出電圧の最大が判断される。
【００７３】
なお、溶接状態量として溶接電圧を使用し、第１の算出方法を使用する場合には、ウィービング左端で検出された溶接電圧（L＿lmin、T＿lmin）が左端溶接状態量（L＿A、T＿A）となり、ウィービング右端で検出された溶接電圧（L＿rmin、T＿rmin）が右端溶接状態量（L＿B、T＿B）となる。
【図面の簡単な説明】
【００７４】
【図１】タンデムアーク溶接システムの一例を示す構成説明図である。
【図２】本発明に係るタンデムアーク溶接システムを制御するロボット制御装置のブロック図である。
【図３】タンデムアーク溶接システムの溶接トーチのウィービングの状態を示す説明図である。
【図４】本発明に係るロボット制御装置を用いたアーク倣いの状態を示す説明図である。
【図５】本発明に係るロボット制御装置を用いた左右方向のアーク倣いの状態を示す説明図である。
【図６】本発明に係るロボット制御装置を用いた回転方向のアーク倣いの状態を示す説明図である。
【図７】（ａ）、（ｂ）は図６の回転方向のアーク倣いの状態を示す斜視図である。
【図８】（ａ）は本発明に係るアーク倣い制御方法における先行極第１変化量と先行極左右補正量との関係、（ｂ）は先行極第２変化量と先行極上下補正量との関係、（ｃ）は後行極変化量と後行極補正量との関係を示すグラフ図である。
【図９】本発明に係るロボット制御装置を用いたアーク倣い制御方法を説明する処理フロー図である。
【図１０】従来のタンデムアーク溶接システムにおけるアーク倣いの状態を示す説明図である。
【符号の説明】
【００７５】
１      タンデムアーク溶接システム
２      溶接トーチ
２ａ    先行極
２ｂ    後行極
３      ロボット
４      先行極電源
５      後行極電源
６      先行極検出部
７      後行極検出部
８      ロボット制御装置
１１ａ  先行極処理部
１１ｂ  後行極処理部
１４ａ  先行極補正部
１４ｂ  後行極補正部
【図１】
2008093670.tif 000003
【図２】
2008093670.tif 000004
【図３】
2008093670.tif 000005
【図４】
2008093670.tif 000006
【図５】
2008093670.tif 000007
【図６】
2008093670.tif 000008
【図７】
2008093670.tif 000009
【図８】
2008093670.tif 000010
【図９】
2008093670.tif 000011
【図１０】
2008093670.tif 000012